(57)【要約】      （修正有）【課題】筆記具の出没時においてキャップを軸線を中心とし、筆記具本体に対して相対的に回転させている。この時、後軸とキャップはお互いが回転しないように係合されている。キャップの着脱操作を繰り返し行うことにより係合する力が次第に弱まり、出没に必要な力がかかる前に空回りしてしまい、筆記具の出没が出来なくなることを防止する。【解決手段】筆記具本体１の前部に主筆記体９，１０を有し、後部に副筆記体３を有する筆記具であって、前記副筆記体が筆記具本体の軸線方向に対して着脱自在に配置すると共に、筆記具本体の内側に前記主筆記体を出没させる出没機構を配置し、前記筆記具本体を前軸４と後軸５とから構成し、その後軸にキャップ２を筆記具本体に対して回転自在、且つ、着脱自在に配置し、さらに、前記前軸と後軸を相対的に回転可能に連結し、その相対的に回転する連結部１ａを前記キャップの前方に配置した出没式筆記具。【選択図】図１
2009066950.tif 000002
【特許請求の範囲】
【請求項１】
筆記具本体の前部に主筆記体を有し、後部に副筆記体を有する筆記具であって、前記副筆記体が筆記具本体の軸線方向に対して着脱自在に配置すると共に、前記筆記具本体の内側に前記主筆記体を出没させる出没機構を配置し、また、前記筆記具本体を前軸と後軸とから構成し、その後軸にキャップを筆記具本体に対して回転自在、且つ、着脱自在に配置し、さらに、前記前軸と後軸を相対的に回転可能に連結し、その相対的に回転する連結部を前記キャップの前方に配置したことを特徴とする出没式筆記具。
【請求項２】
前記前軸を把時する部分に配置すると共に、後軸を親指と人差し指で構成される指間当接部分に配置したことを特徴とする請求項１記載の出没式筆記具。
【請求項３】
前記筆記具本体内に配置されている主筆記体および副筆記体を化粧具とした請求項１、或いは、請求項２に記載の出没式筆記具。
【発明の詳細な説明】
【技術分野】
【０００１】
本発明は、単数、或いは、複数の主筆記体を内蔵した筆記具本体の後端にサインペンや蛍光ペン、水性・油性ボールペンなどの筆記体や、消しゴムや修正液、修正テープなどの消し具から構成される副筆記具を配置した筆記具に関するものであり、前記主筆記体としては、メイク用ペンシルやメイク用筆などであっても良く、また、副筆記具としては、口紅などであっても良い。
【背景技術】
【０００２】
従来から、複数の筆記体を軸筒に収納し、その筆記体の後部に接続されているスライダーを前後動させるものや、後軸もしくはクリップを回転操作することによって、前記筆記体を軸筒の先端開口部から出没させる多芯式の筆記具が知られている。前記筆記体の１例としては、黒や赤、青などのボールペン体、芯の径を異ならしめたシャープペンシルユニット、或いは、前記ボールペン体とシャープペンシルユニットの混合体などがある。
【０００３】
前軸と後軸から構成される筆記具本体の後部に副筆記体を有し、その副筆記体を覆うようにカバーが後軸に対して着脱自在に取り付けられており、そのキャップを取り除くことによって、前記副筆記体を後軸の後部から露出させる多芯式の筆記具も知られている。
その一例が、特開平７−２１４９８７号公報に記載の筆記具である。以下、詳述する。筆記具本体には、ボールペンやシャープペンシルの筆記体が内蔵されており、また、筆記具本体の後端には印鑑が止着されている。そして、筆記具本体の後部の外周部には、前記印鑑を覆うように万年筆形の長いキャップが着脱可能に固定されている。その万年筆形の長いキャップと印鑑の外周部は、常に、非接触状態となっている。
次に、使用方法について説明する。使用時、つまり、筆記時にはキャップを軸線を中心とし、筆記具本体に対して相対的に回転させる。その回転操作に伴って、筆記具本体に配置されている回転繰り出し機構が作動し、その作動に伴って、内蔵されているボールペン、もしくはシャープペンシルなどの筆記体が筆記具本体先端部から突出する。尚、突出しているボールペン、もしくはシャープペンシルの筆記体を没入させたい場合には、前記突出操作の逆の手順で行えば良い。
また、捺印時にはキャップを軸線方向に対して後方に向けて力をかければ筆記具本体からキャップが外れ、筆記具本体の後部に止着された印鑑が露出する。尚、使用後、印鑑を格納したい場合には、前記突出操作の逆の手順で行えば良い。
【特許文献１】特開平７−２１４９８７号公報。
【発明の開示】
【発明が解決しようとする課題】
【０００４】
しかし、上記の従来技術にあっては、筆記具の出没時においてキャップを軸線を中心とし、筆記具本体に対して相対的に回転させている。この時、後軸とキャップは、お互いが回転しないように係合されている。しかし、キャップの着脱操作を繰り返し行うことによって係合する力が次第に弱まり、出没に必要な力がかかる前に空転、つまり、空回りしてしまい、筆記具の出没が出来なくなる恐れがあった。
そこで、キャップの筆記具本体に対する回転を抑えようと、後軸との係合力を増加させることも試みられたが、捺印時におけるキャップの着脱操作にも大きな力が必要となってしまい実用的ではない。
これらの問題を克服すべく使用者は、筆記具の状態やキャップの係止する力などを常に、意識し注意を図らなければならなかった。
【課題を解決するための手段】
【０００５】
本発明は、上記の課題に鑑みてなされたものであって、筆記具本体の前部に主筆記体を有し、後部に副筆記体を有する筆記具であって、前記副筆記体が筆記具本体の軸線方向に対して着脱自在に配置すると共に、前記筆記具本体の内側に前記主筆記体を出没させる出没機構を配置し、また、前記筆記具本体を前軸と後軸とから構成し、その後軸にキャップを筆記具本体に対して回転自在、且つ、着脱自在に配置し、さらに、前記前軸と後軸を相対的に回転可能に連結し、その相対的に回転する連結部を前記キャップの前方に配置したことを要旨とする。
【発明の効果】
【０００６】
本発明は、筆記具本体の前部に主筆記体を有し、後部に副筆記体を有する筆記具であって、前記副筆記体が筆記具本体の軸線方向に対して着脱自在に配置すると共に、前記筆記具本体の内側に前記主筆記体を出没させる出没機構を配置し、また、前記筆記具本体を前軸と後軸とから構成し、その後軸にキャップを筆記具本体に対して回転自在、且つ、着脱自在に配置し、さらに、前記前軸と後軸を相対的に回転可能に連結し、その相対的に回転する連結部を前記キャップの前方に配置したので、使用者は筆記具の出没機構の空回りの状態や、キャップの係止する力などを意識せずに使用することができる。
【発明を実施するための最良の形態】
【０００７】
作用について説明する。筆記具本体内に配置されている主筆記体を出没させる出没機構をキャップの前方に配置したことにより、キャップが空回りの状態であっても主筆記体の出没の影響を受けないため、筆記時における主筆記体の選択動作が確実、且つ、容易に行える。
【０００８】
本発明の実施の形態の１例を図１〜図４に示し、説明する。本実施例は、筆記具本体１とキャップ部２と副筆記具３から構成されている。
筆記具本体１は前軸４、後軸５、回転子６、摺動子７、摺動子８、ボールペンリフィール９、ボールペンリフィール１０、バネ１１、バネ１２の計９部品から構成されている。後軸５の内面には、回転子６が回転自在に内装されているが突起６ａにより３６０°を超える回転はできないようになっている。その回転子６の前方には、２個の摺動子（摺動子７と摺動子８）が配置されており、それら２個の摺動子７、８は、前記回転子６の長手方向における軸線に対して摺動可能に配置されている。そして、それらの摺動子７、８の前端内径部には、主筆記体であるボールペンリフィール９、１０が軽い圧入状態で一体に装着されており、また、コイルスプリングなどのバネ１１、１２により常に後方へ付勢されている。更に、前記回転子６の前方には、前軸４がネジ螺合などの手段によって固定されている。
そして、前記前軸４と前記後軸５とを相対的に回転させることによって、回転子６が回転し、その回転子６の回転によって摺動子７（８）が前後動し、その摺動子７（８）の前後動によってボールペンリフィール９やボールペンリフィール１０の先端が前軸４から出没するものとなっている。
また、前記後軸５の後方には、キャップ部２が後軸５に対して回転自在にかつ、着脱自在に配置されている。そして、前記筆記具本体１を構成する前軸４と後軸５の連結部１ａ、即ち、相対的に回転する連結部１ａが前記キャップ部２の前方に位置している。
その連結部１ａを具体的に説明すると、本例においては、前軸４の先端から４０ｍｍの位置に連結部１ａが位置しているが、１０〜５０ｍｍの範囲、もしくは、キャップ部を含む軸全体の長さの１／３程度が好ましい。その理由として筆記時、後軸５を右手で把持しながら、左手で前軸４を回転させることにより、持ち替えることなく且つ迅速な筆記体の選択動作、並びに、出没操作が可能となるためである。
【０００９】
前記キャップ部２は、キャップ１３、並びに、クリップ１４、頭冠１５の計３部品から構成されている。前記キャップ部２は前記筆記具本体１の軸線方向の後方に全周リブ５ｂと嵌合リブ１３ａにより回転自在に嵌合されている。この嵌合について詳述する。本例における嵌合は、嵌合動作がなされた際、「パッチン」と音が発生するように構成されている。そのパッチンの音について説明する。例えば、嵌合するためリブ同士が乗り上げ、その後、リブ同士が嵌合した時に、キャップと軸が面同士で当接した時に発する音が「パッチン」となる。尚、音を発生させる理由としては、前記副筆記体３のペン先乾燥とペン先保護のためであり、前記副筆記具３の縮径部１６ａと前記キャップ１３のエアタイトリブ１３ｂの位置関係を適正にするために、「パッチン」の音でエアタイトを確認することができるようになっている。
前記キャップの後方には縮径部１３ｃが形成されており、前記クリップ１４の穴部１４ａと嵌め合わされている。本実施例では前記クリップ１４が回転しないように前記縮径部１３ｃと前記穴部１４ａにそれぞれフラット面を設けているが、機能上、問題がなければ回り止めをつけなくても良い。前記頭冠１５は前記キャップ１３の後方からネジ螺合などの手段によって固定されている。この時、使用者が誤って分解しないように接着しても良い。
【００１０】
前記副筆記体３は一般的な蛍光ペンと同じ構造を採っているので、部品配置などの詳細は割愛する。前記筆記具本体１の後方には、開口部５ａが設置されている。前記開口部５ａには、前記副筆記具３が前記筆記具本体１の軸線方向に回転自在に嵌合リブ５ｃと前記副筆記具３の溝部１６ｂによりパッチン嵌合している。この時、前記副筆記体３は前記嵌合リブ５ｃと前記溝部１６ａのパッチン嵌合により、筆記時にペン先が回らない程度の回転方向の抵抗力を持っている。また、ペン先のガタ防止として、後軸５の開口部５ａとその開口部５ａよりも径方向で若干大きい縦リブ１６ｃで、副筆記具３が後軸５に軽く圧入している。
また、前記副筆記体３はカートリッジ式となっているため、インキがなくなれば交換が可能なものとなっている。その交換時、副筆記体３を摘まみ易いように、前記後軸５の縮径部５ｄよりも、副筆記体３の拡径部１６ｄを径方向で大きくしている。
【００１１】
また、化粧具の組み合わせでも良い（図４参照）。具体的に説明すると、筆記具本体１は前軸４、後軸５、回転子６、摺動子７、摺動子８、メイクブラシ２０、メイク用ペンシル２１、バネ１１、バネ１２の計９部品から構成されている。後軸５の内面には、回転子６が回転自在に内装されているが突起６ａにより３６０°を超える回転はできないようになっている。その回転子６の前方には、２個の摺動子（摺動子７と摺動子８）が配置されており、それら２個の摺動子７、８は、前記回転子６の長手方向における軸線に対して摺動可能に配置されている。そして、それらの摺動子７、８の前端内径部には、主筆記体であるメイクブラシ２０、メイク用ペンシル２１が軽い圧入状態で一体に装着されており、また、コイルスプリングなどのバネ１１、１２により常に後方へ付勢されている。更に、前記回転子６の前方には、前軸４がネジ螺合などの手段によって固定されている。
そして、前記前軸４と前記後軸５とを相対的に回転させることによって、回転子６が回転し、その回転子の回転によって摺動子７（８）が前後動し、その摺動子７（８）の前後動によってメイクブラシ２０やメイク用ペンシル２１の先端が前軸４から出没するものとなっている。
【００１２】
前記キャップ部２は、キャップ１３、並びに、クリップ１４、頭冠１５の計３部品から構成されている。前記キャップ部２は前記筆記具本体１の軸線方向の後方に全周リブ５ｂと嵌合リブ１３ａにより回転自在にパッチン嵌合されている。
【００１３】
前記副筆記体３は一般的な口紅と同じ構造を採っているので、部品配置などの詳細は割愛する。前記筆記具本体１の後方には、開口部５ａが設置されている。前記開口部５ａには、前記副筆記具３が前記筆記具本体１の軸線方向に回転自在に嵌合リブ５ｃと前記副筆記具３の溝部１６ｂにより嵌合している。この時、前記副筆記体３は前記嵌合リブ５ｃと前記溝部１６ａの嵌合により、筆記時に口紅が回らない程度の回転方向の抵抗力を持っている。また、口紅のガタ防止として、後軸５の開口部５ａと前記開口部５ａより径方向で若干大きい縦リブ１６ｃで、副筆記具３が後軸５に軽く圧入している。
また、前記副筆記体（口紅）３はカートリッジ式となっているため、その口紅がなくなれば交換が可能なものとなっている。その交換時、副筆記体（口紅）３を摘まみ易いように、前記後軸５の縮径部５ｄよりも、副筆記体３の拡径部１６ｄを径方向で大きくしている。
【産業上の利用可能性】
【００１４】
本実施例では筆記具本体１にボールペンリフィール、副筆記体３に蛍光ペンを装着したが、副筆記体３に密閉の必要がない油性ボールペンの組み合わせでも良く、また、サインペンや水性ボールペン、修正液、修正テープなど、用途に合わせた適宜選択が可能である。
【図面の簡単な説明】
【００１５】
【図１】本発明の出没式筆記具の第一実施例切断斜視図である。
【図２】図１の出没式筆記具のクリップ側を正面とした時の右側面断面図である。
【図３】図１の出没式筆記具の分解斜視図である。
【図４】本発明の出没式筆記具の第二実施例切断斜視図である。
【符号の説明】
【００１６】
１    筆記具本体
１ａ  連結部
２    キャップ部
３    副筆記具
４    前軸
５    後軸
５ａ  開口部
５ｂ  全周リブ
５ｃ  嵌合リブ
５ｄ  縮径部
６    回転子
６ａ  突起
７    摺動子
８    摺動子
９    ボールペンリフィール
１０    ボールペンリフィール
１１    バネ
１２    バネ
１３    キャップ
１３ａ  嵌合リブ
１３ｂ  エアタイトリブ
１３ｃ  縮径部
１４    クリップ
１４ａ  穴部
１５    頭冠
１６    ケース
１６ａ  縮径部
１６ｂ  溝部
１６ｃ  たてリブ
１６ｄ  拡径部
１７    尾栓
１８    中綿
１９    ペン先
２０    メイクブラシ
２１    メイク用ペンシル
２２    口紅
【図１】
2009066950.tif 000003
【図２】
2009066950.tif 000004
【図３】
2009066950.tif 000005
【図４】
2009066950.tif 000006